(57)【特許請求の範囲】
【請求項１】
無彩色のインクと有彩色のインクとを用いて記録媒体に画像を形成するために、入力値を、無彩色成分値と有彩色成分値とを含む出力値に変換する色変換装置であって、
前記入力値を用いて無彩色成分値と有彩色成分値とを決定する決定手段であって、予め定められた関係に従って、入力値のグレー成分が大となるほど有彩色成分値が大となるように、有彩色成分値を決定する前記決定手段と、
前記決定手段により決定される無彩色成分値を、画像形成対象の記録媒体の種類に応じて予め定められた制限値で制限する制限手段と、
前記決定手段により決定された有彩色成分値と、前記制限手段により制限された無彩色成分値とに基づく出力値を決定する出力値決定手段とを備えることを特徴とする色変換装置。
【請求項２】
入力値に対応する有彩色成分値の関係を定めるルックアップテーブルを参照し、入力値を有彩色成分値に変換する色変換手段と、
その色変換手段により変換された有彩色成分値から、入力値のグレー成分に相当するグレー成分値を求めるグレー成分値決定手段と、
そのグレー成分値決定手段により決定されるグレー成分値と、前記色変換手段により変換された有彩色成分値の補正に用いる補正値との対応関係を、前記予め定められた関係として記憶する補正値記憶手段とを備え、
前記決定手段は、前記色変換手段により変換された有彩色成分値を、前記補正値記憶手段に記憶された補正値で補正することにより前記有彩色成分値を決定するものであり、
前記補正値記憶手段は、入力値のグレー成分が大となるほど、補正の結果として得られる有彩色成分値が大となるように定められた補正値を記憶することを特徴とする請求項１記載の色変換装置。
【請求項３】
入力値のグレー成分が大となるほど有彩色成分値が大となるように定められたルックアップテーブルを、前記予め定められた関係として記憶するルックアップテーブル記憶手段を備え、
前記決定手段は、
前記ルックアップテーブル記憶手段に記憶されたルックアップテーブルに基づいて、無彩色成分値および有彩色成分値を決定するものであることを特徴とする請求項１記載の色変換装置。
【請求項４】
前記決定手段により決定された有彩色成分値に対応するインク濃度と、前記無彩色成分制限手段により制限された無彩色成分値に対応するインク濃度との合計が、画像形成対象の記録媒体の種類に応じて予め定められたインク量制限値以下となるように、前記有彩色成分値に対応するインク濃度と無彩色成分値に対応するインク濃度とのうち、有彩色成分値に対応するインク濃度のみを低減させるインク量制限手段を備えることを特徴とする請求項１から３のいずれかに記載の色変換装置。
【請求項５】
各色成分値に対応して定まるインク調整値に基づいて、前記決定手段により決定される有彩色成分値および前記制限手段により制限された無彩色成分値を調整する調整手段を備え、
前記インク量制限手段は、前記調整手段により調整された各色成分値をその色成分のインク濃度とし、各色のインク濃度の合計が前記インク量制限値以下となるように、前記調整手段により調整された有彩色成分値に対応するインク濃度を低減させることを特徴とする請求項４記載の色変換装置。
【請求項６】
無彩色のインクと有彩色のインクとを用いて記録媒体に画像を形成するために、入力値を、無彩色成分値と有彩色成分値とを含む出力値に変換する処理を色変換装置に実行させる色変換プログラムであって、
前記入力値を用いて無彩色成分値と有彩色成分値とを決定する決定手段であって、予め定められた関係に従って、入力値のグレー成分が大となるほど有彩色成分値が大となるように、有彩色成分値を決定する前記決定手段と、
前記決定手段により決定される無彩色成分値を、画像形成対象の記録媒体の種類に応じて予め定められた制限値で制限する制限手段と、
前記決定手段により決定された有彩色成分値と、前記制限手段により制限された無彩色成分値とに基づく出力値を決定する出力値決定手段として前記画像処理装置を機能させることを特徴とする色変換プログラム。
【請求項７】
無彩色のインクと有彩色のインクとを用いて記録媒体に画像を形成するために、入力値を、無彩色成分値と有彩色成分値とを含む出力値に変換する色変換方法であって、
前記入力値を用いて無彩色成分値と有彩色成分値とを決定する決定工程であって、予め定められた関係に従って、入力値のグレー成分が大となるほど有彩色成分値が大となるように、有彩色成分値を決定する前記決定工程と、
前記決定工程により決定される無彩色成分値を、画像形成対象の記録媒体の種類に応じて予め定められた制限値で制限する制限工程と、
前記決定工程により決定された有彩色成分値と、前記制限工程により制限された無彩色成分値とに基づく出力値を決定する出力値決定工程とを有することを特徴とする色変換方法。
【発明の詳細な説明】
【技術分野】
【０００１】
本発明は色変換装置、色変換プログラム、および色変換方法に関するものである。
【背景技術】
【０００２】
記録用紙にインクを吐出することにより画像を形成可能な画像形成装置が知られている。インクには大きく分けて顔料インクと染料インクとがあるが、顔料インクは染料インクに比較して定着性が低い。よって、例えば両面印刷の裏面を印刷する場合は、表面に印刷済みの顔料インクに、用紙搬送ローラが接触し、その顔料インクが記録用紙から剥離し、用紙搬送ローラを汚してしまうという不都合が生じる。
【０００３】
特に、黒インク（以下Ｋインクと称する）は顔料インクで構成される場合が多く、上述のような不都合が生じやすい。なお、インクの定着性は、普通紙、専用紙、光沢紙であるかによって異なるだけではなく、例えば、普通紙の中でも製造メーカ、または製造工程などが異なると、様々に変動する。定着性の高い記録用紙が用いられる場合は、Ｋインクの濃度が高くてもそれほど問題とならないが、定着性の低い記録用紙が用いられる場合は、Ｋインクの濃度が高いと上述の不都合が生じやすい。よって、Ｋインクの濃度（使用量）を、記録用紙の定着性に応じた適切な値に調整することが重要である。
【０００４】
図９は、従来のＧＣＲ（Gray  Component  Replacement）テーブルに格納される、グレー成分値ｍｉｎＫと補正値との対応関係の一例を示すグラフである。このＧＣＲテーブルは、グレー成分をＫインクに置き換えるために用いられるテーブルである。このテーブルを用いてＫインクの濃度（ΔＫ）、および有彩色成分である、シアン（以下Ｃと称する）、マゼンタ（以下Ｍと称する）、イエロー（以下Ｙと称する）の補正値（ΔＣ，ΔＭ，ΔＹ）が決定される。
【０００５】
ここで、上述したような、Ｋインク定着性に関する問題点を解決するために、単にＫインクの濃度を記録用紙の定着性に応じて制限することとすると、本来は高いグレー成分を有する暗く濃い色が、明るい色よりも薄く表現されてしまうという色合いの逆転現象が生じるという不具合が生じる。
【０００６】
色合いの逆転現象についてより詳細に説明すると、図９に示すように、従来のＧＣＲテーブルを用いた場合、グレー成分が大となるほど、すなわち、暗い色となるほど、Ｋインクの濃度は高くなる一方で、ＣＭＹの各インクの濃度は低下させられる。換言すれば、グレー成分の低い明るい色の方が、ＣＭＹのインク濃度が高い。したがって、定着性の記録用紙を用いる場合に、単に、Ｋインクの濃度のみを低減させると、本来はグレー成分が高い濃い色であるにも拘わらず、グレー成分が低い明るい色よりもインク総量が低くなり、その結果、薄い色として表現されてしまうという色合いの逆転現象が生じ得るのである。
【０００７】
このような色合いの逆転現象を防止するためには、図９に示すＧＣＲテーブルを記録用紙の種類毎に予め記憶しておくことが考えられる。すなわち、記録用紙の定着性に応じたＫインクの濃度、およびそのＫインクの濃度に応じたＣＭＹの濃度を予め定めておくのである。しかし、このようにすると、使用可能性がある全ての記録用紙についてテーブルを作成し、記憶しなければならず、色テーブル作成工数およびメモリ使用量が膨大なものとなってしまい、それに必要なメモリを用意しなければならなくなる。
【０００８】
そこで、特許文献１には、両面印刷を行う際には、片面印刷を行う場合に比較して、全体として、色の濃度を薄くする（すなわち、インクの使用量を少なくする）技術が開示されている。このようにすれば、吐出されたインクは記録用紙に吸収され、両面印刷を行う場合であっても、既印刷面が用紙搬送ローラなどを汚すことが防止される。  
【特許文献１】特開２００７−１１８２３８号公報
【発明の開示】
【発明が解決しようとする課題】
【０００９】
しかしながら、特許文献１は、両面印刷のみを問題とするものであり、インク定着性の低い記録用紙において発生し得るその他の問題点は何ら改善されない。例えば、片面印刷の場合でも、インクの定着性が低い記録用紙では、ユーザの指などで擦られると、インクが剥がれ、ユーザの指などを汚すという問題点がある。
【００１０】
本発明は、上記問題点を解決するためになされたものであり、記録媒体からの無彩色インクの剥離が抑制され、その結果、記録媒体から剥離した無彩色インクによって、他の部材や記録媒体が汚されることを抑制でき、色合いの逆転現象が生じ難く、且つテーブルの作成工程やメモリ使用量を節約することができる色変換装置、色変換プログラム、および色変換方法を提供することを目的としている。
【課題を解決するための手段】
【００１１】
この目的を達成するために、態様１の色変換装置は、無彩色のインクと有彩色のインクとを用いて記録媒体に画像を形成するために、入力値を、無彩色成分値と有彩色成分値とを含む出力値に変換するものであって、前記入力値を用いて無彩色成分値と有彩色成分値とを決定する決定手段であって、予め定められた関係に従って、入力値のグレー成分が大となるほど有彩色成分値が大となるように、有彩色成分値を決定する前記決定手段と、前記決定手段により決定される無彩色成分値を、画像形成対象の記録媒体の種類に応じて予め定められた制限値で制限する制限手段と、前記決定手段により決定された有彩色成分値と、前記制限手段により制限された無彩色成分値とに基づく出力値を決定する出力値決定手段とを備えることを特徴とする。
【００１２】
態様２の色変換装置は、態様１の色変換装置において、入力値に対応する有彩色成分値の関係を定めるルックアップテーブルを参照し、入力値を有彩色成分値に変換する色変換手段と、その色変換手段により変換された有彩色成分値から、入力値のグレー成分に相当するグレー成分値を求めるグレー成分値決定手段と、そのグレー成分値決定手段により決定されるグレー成分値と、前記色変換手段により変換された有彩色成分値の補正に用いる補正値との対応関係を、前記予め定められた関係として記憶する補正値記憶手段とを備え、前記決定手段は、前記色変換手段により変換された有彩色成分値を、前記補正値記憶手段に記憶された補正値で補正することにより前記有彩色成分値を決定するものであり、前記補正値記憶手段は、入力値のグレー成分が大となるほど、補正の結果として得られる有彩色成分値が大となるように定められた補正値を記憶することを特徴とする。
【００１３】
態様３の色変換装置は、態様１の色変換装置において、入力値のグレー成分が大となるほど有彩色成分値が大となるように定められたルックアップテーブルを、前記予め定められた関係として記憶するルックアップテーブル記憶手段を備え、前記決定手段は、前記ルックアップテーブル記憶手段に記憶されたルックアップテーブルに基づいて、無彩色成分値および有彩色成分値を決定するものであることを特徴とする。
【００１４】
態様４の色変換装置は、態様１から３のいずれかの色変換装置において、前記決定手段により決定された有彩色成分値に対応するインク濃度と、前記無彩色成分制限手段により制限された無彩色成分値に対応するインク濃度との合計が、画像形成対象の記録媒体の種類に応じて予め定められたインク量制限値以下となるように、前記有彩色成分値に対応するインク濃度と無彩色成分値に対応するインク濃度とのうち、有彩色成分値に対応するインク濃度のみを低減させるインク量制限手段を備えることを特徴とする。
【００１５】
態様５の色変換装置は、態様４の色変換装置において、各色成分値に対応して定まるインク調整値に基づいて、前記決定手段により決定される有彩色成分値および前記制限手段により制限された無彩色成分値を調整する調整手段を備え、前記インク量制限手段は、前記調整手段により調整された各色成分値をその色成分のインク濃度とし、各色のインク濃度の合計が前記インク量制限値以下となるように、前記調整手段により調整された有彩色成分に対応するインク濃度を低減させることを特徴とする。
【００１６】
態様６の色変換プログラムは、無彩色のインクと有彩色のインクとを用いて記録媒体に画像を形成するために、入力値を、無彩色成分値と有彩色成分値とを含む出力値に変換する処理を色変換装置に実行させるプログラムであって前記入力値を用いて無彩色成分値と有彩色成分値とを決定する決定手段であって、予め定められた関係に従って、入力値のグレー成分が大となるほど有彩色成分値が大となるように、有彩色成分値を決定する前記決定手段と、前記決定手段により決定される無彩色成分値を、画像形成対象の記録媒体の種類に応じて予め定められた制限値で制限する制限手段と、前記決定手段により決定された有彩色成分値と、前記制限手段により制限された無彩色成分値とに基づく出力値を決定する出力値決定手段として前記画像処理装置を機能させることを特徴とする。
【００１７】
態様７の色変換方法は、無彩色のインクと有彩色のインクとを用いて記録媒体に画像を形成するために、入力値を、無彩色成分値と有彩色成分値とを含む出力値に変換する方法であって、前記入力値を用いて無彩色成分値と有彩色成分値とを決定する決定工程であって、予め定められた関係に従って、入力値のグレー成分が大となるほど有彩色成分値が大となるように、有彩色成分値を決定する前記決定工程と、前記決定工程により決定される無彩色成分値を、画像形成対象の記録媒体の種類に応じて予め定められた制限値で制限する制限工程と、前記決定工程により決定された有彩色成分値と、前記制限工程により制限された無彩色成分値とに基づく出力値を決定する出力値決定工程とを有することを特徴とする。
【発明の効果】
【００１８】
態様１の色変換装置によれば、決定手段により決定された無彩色成分値が、画像形成対象の記録媒体の種類に応じて予め定められた制限値で制限される。したがって、無彩色インクの濃度が、記録媒体の種類に応じた適切な濃度に制限され、記録媒体からの無彩色インクの剥離が抑制される。その結果、記録媒体から剥離した無彩色インクによって、他の部材や記録媒体が汚されることを抑制できるという効果がある。
【００１９】
さらに、決定手段により決定される有彩色成分値は、入力値のグレー成分が大となるほど有彩色成分値が大となるように決定される値である。よって、グレー成分が高い色、すなわち暗い色の入力値に対して決定される有彩色成分値は、明るい色の入力値に対応して決定される有彩色成分値よりも高い値となる。その結果、決定手段により決定される無彩色成分値を制限した場合であっても、グレー成分が高い暗い色が、グレー成分が低い明るい色よりも色合いが薄くなるという色合いの逆転現象が生じ難いという効果がある。
【００２０】
また、有彩色成分値および無彩色成分を決定するための予め定められた関係を、記録媒体の種類毎に準備しておく必要はないので、例えばＧＣＲテーブルや色変換テーブルを記録媒体の種類毎に記憶しておく場合に比較して、テーブルの作成工程やメモリ使用量を節約することができるという効果がある。
【００２１】
態様２の色変換装置によれば、態様１の色変換装置の奏する効果に加え、以下の効果を奏する。補正値記憶手段は、入力値のグレー成分が大となるほど、補正の結果として得られる有彩色成分値が大となるように定められた補正値を記憶するので、決定手段は、その補正値を用いて、入力値のグレー成分が大となるほど有彩色成分値が大となるように、入力値に対応した有彩色成分値を決定することができる。ここで、補正値記憶手段には、記録媒体の種類毎の補正値を記憶させる必要がないので、例えばＧＣＲテーブルを記録媒体の種類毎に予め作成し、記憶しておく場合に比較して、メモリ使用量や、テーブルの決定に要する工程数を節約することができるという効果がある。
【００２２】
態様３の色変換装置によれば、態様１の色変換装置の奏する効果に加え、ルックアップテーブル記憶手段には、記録媒体の種類毎のルックアップテーブルを記憶させる必要がないので、記録媒体の種類毎にルックアップテーブルを作成し、記憶する場合に比較して、メモリ使用量やテーブルの決定に要する工程数を節約することができるという効果がある。
【００２３】
態様４の色変換装置によれば、態様１から３のいずれかの色変換装置の奏する効果に加え、前記決定手段により決定された有彩色成分値に対応するインク濃度と、前記無彩色成分制限手段により制限された無彩色成分値に対応するインク濃度との合計が、画像形成対象の記録媒体の種類に応じて予め定められたインク量制限値以下となるように、有彩色成分値に対応するインク濃度のみが低減させられるので、記録媒体が吸収可能なインク量よりもインク総量が大となることに起因するインク溢れが抑制されると共に、無彩色のインク濃度は保持されるため、暗い色の濃さを保つことができるという効果がある。無彩色のインクは、有彩色のインクに比較して少量で濃い色を表現することができるからである。
【００２４】
態様５の色変換装置によれば、態様４の色変換装置の奏する効果に加え、各色成分値に対応して定まるインク調整値に基づいて、前記決定手段により決定される有彩色成分値および前記制限手段により制限された無彩色成分値が調整された後、各色のインク濃度の合計が前記インク量制限値以下となるように、有彩色成分に対応するインク濃度が低減させられるので、インク量制限値の限界まで、インク濃度を高く保つことができるという効果がある。
【００２５】
態様６の色変換プログラムによれば、色変換装置で実行されることにより、態様１の色変換装置と同様の作用効果が得られる。
【００２６】
態様７の色変換方法によれば、態様１の色変換装置と同様の効果が得られる。
【発明を実施するための最良の形態】
【００２７】
以下、本発明の好ましい実施例について、添付図面を参照して説明する。図１は、本発明の色変換装置の第１実施形態であるパーソナルコンピュータ１０（以下、ＰＣ１０と称す）と、ＰＣ１０に接続された画像形成装置４０との電気的構成を模式的に示すブロック図である。
【００２８】
第１実施形態におけるＰＣ１０は、Ｒ（赤）Ｇ（緑）Ｂ（青）の各色成分値からなる入力値ＲＧＢを、Ｃ（シアン）Ｍ（マゼンタ）Ｙ（イエロー）Ｋ（ブラック）の各色成分値からなる出力値ＣＭＹＫに変換する装置である。
【００２９】
ＰＣ１０は、上記出力値ＣＭＹＫを含む印刷データを画像形成装置４０に転送する。画像形成装置４０は、ＰＣ１０から入力された印刷データに基づいて、ＣＭＹのインク（有彩色のインクの例）、およびＫのインク（無彩色インクの例）を記録用紙（記録媒体の一例）へ吐出して画像形成を行ういわゆるインクジェットプリンタで構成されている。本実施形態では、画像形成装置４０で用いられるＫインクは顔料インクで構成され、有彩色ＣＭＹのインクは染料インクで構成されるものとして説明する。
【００３０】
本実施形態のＰＣ１０は、出力値ＣＭＹＫに含まれる黒成分値Ｋ（無彩色成分値の一例）を、記録用紙の種類に応じた適切な値とするように構成されている。その結果、画像形成装置４０において、記録用紙からのＫインク（無彩色インクの一例）の剥離が抑制され、記録用紙から剥離したＫインクによって、他の部材や記録用紙が汚されることを抑制できる。
【００３１】
図１に示すように、ＰＣ１０は、ＣＰＵ１１、ＲＯＭ１２、ＲＡＭ１３、ハードディスクドライブ１４（以下、ＨＤＤ１４と称す）、ＵＳＢインターフェイス１６、入力装置１７、表示装置１８とを主に有し、これらはバスライン２０を介してお互いに接続されている。
【００３２】
ＣＰＵ１１は、ＲＯＭ１２やＲＡＭ１３やＨＤＤ１４に記憶される固定値やプログラムに従って、バスライン２０により接続された各部を制御する。ＲＯＭ１２は、ＰＣ１０の動作を制御するためのプログラムなどが格納されたメモリであり、ＲＡＭ１３は、ＣＰＵ１１の処理に必要なデータなどを一時的に記憶するための読み書き可能なメモリである。
【００３３】
ＨＤＤ１４は、ハードディスクドライブであり、図４および図５を参照して後述するページ印刷処理（Ｓ１）を実行するためのプリンタドライバ１４１が格納（インストール）されている。ＨＤＤ１４には、さらに、ルックアップテーブル１４２、ＧＣＲテーブル１４３、用紙種類テーブル１４４が記憶されている。
【００３４】
ルックアップテーブル１４２は、ＰＣ１０の表示装置１８における表示色と、画像形成装置４０において形成される色とを合わせるために、入力値ＲＧＢに対し、ＣＭＹの各色成分値とを対応付けて記憶するテーブルである。このルックアップテーブル１４２を参照することにより、入力値ＲＧＢが、一次変換データＣ１Ｍ１Ｙ１に変換される。なお、この一次変換データＣ１Ｍ１Ｙ１に含まれる各有彩色成分値Ｃ１，Ｍ１，Ｙ１のうち、最小の値、すなわちＣＭＹの各色が重なっている範囲を、入力値のグレー成分に相当するグレー成分値ｍｉｎＫと称する。
【００３５】
ＧＣＲテーブル１４３は、グレー成分値ｍｉｎＫの一部を、黒成分値に置換するための補正値（ΔＣ，ΔＭ，ΔＹ）を格納するテーブルである。なお、ＧＣＲテーブル１４３の詳細については、図２を参照して後述する。
【００３６】
入力装置１７は、ユーザ指示を入力するためのものであり、例えば、キーボードやマウスなどで構成される。表示装置１８は、例えば、ＣＲＴディスプレイや液晶ディスプレイなどにより構成され、各種処理内容や入力されたデータなどを視覚的に表示するものである。
【００３７】
画像形成装置４０は、演算装置であるＣＰＵ５１と、そのＣＰＵ５１により実行される各種の制御プログラムやデータを記憶したＲＯＭ５２と、この画像形成装置４０に接続されるＰＣ１０から入力された印刷データや制御信号を記憶するためのメモリであるＲＡＭ５３とを備えている。また、これらのＣＰＵ５１、ＲＯＭ５２、ＲＡＭ５３は、バスライン５８を介して互いに接続されており、かかるバスライン５８は、入出力ポート５９に接続されている。
【００３８】
この入出力ポート５９は、記録ヘッド５４と、記録ヘッド５４を搭載するキャリッジ（図示せず）を往復移動させる駆動力を供給するキャリッジモータ（ＣＲモータ）５５と、記録用紙を搬送する搬送ローラや排紙ローラを回動させる用紙搬送モータ（ＬＦモータ）５６とを備えた駆動部５７にも接続されている。ＣＰＵ５１は、ＰＣ１０から入力された印刷データを記録ヘッド５４による印刷が可能な印刷データに展開し、そのデータを各ノズルに対する吐出信号として、記録ヘッド５４へ出力する。この吐出信号に応じて記録ヘッド５４を駆動することにより、各ノズルからインクが吐出され、記録用紙に印刷が行われる。また、ＣＲモータ５５およびＬＦモータ５６は、記録ヘッド５４へ出力される吐出信号に同期して駆動される。
【００３９】
記録ヘッド５４には、記録用紙へインクを吐出するためのノズルが形成されている。そして、図示しないインクカートリッジから記録ヘッド５４に供給されるＣＭＹＫのインクが、ノズルから吐出され、記録用紙に画像が形成される。
【００４０】
また、入出力ポート５９は、操作キー４５，ＬＣＤ（液晶表示装置）４６、メモリカードスロット４７、ＵＳＢインターフェイス４８に接続されており、その結果、ＣＰＵ５１により各部を制御することができる。
【００４１】
ＰＣ１０と画像形成装置４０とは、ＵＳＢＩ／Ｆ１６，４８、およびＵＳＢケーブル６０を介して、通信可能に接続される。
【００４２】
図２は、ＧＣＲテーブル１４３に格納される、グレー成分値ｍｉｎＫと補正値および黒成分値Ｋとの対応関係を示すグラフである。図２に示すように、ＧＣＲテーブル１４３は、グレー成分値ｍｉｎＫと、ＣＭＹの補正値（ΔＣ，ΔＭ，ΔＹ）、および黒成分値Ｋとの予め定められた対応関係を格納する。なお、補正値（ΔＣ，ΔＭ，ΔＹ）が、特許請求の範囲に記載の「有彩色成分値の補正に用いる補正値」の例に相当する。
【００４３】
このグレー成分値ｍｉｎＫに対応した補正値（ΔＣ，ΔＭ，ΔＹ）を用いて、一次変換データＣ１Ｍ１Ｙ１を下記（２）から（４）式に示すように補正する。また、グレー成分値ｍｉｎＫに対応した黒成分値Ｋを、（５）式に示すように、そのまま、入力値ＲＧＢに対応した黒成分値Ｋ２とする。これら（２）式から（５）式に示す演算により、入力値ＲＧＢに対応する色データＣ２Ｍ２Ｙ２Ｋ２を決定することができる。
【００４４】
なお、下記（２）から（５）式は、色データＣ２Ｍ２Ｙ２Ｋ２を求めるための演算式の一例に過ぎず、下記（２）から（５）式とは異なる演算を用いて、色データＣ２Ｍ２Ｙ２Ｋ２が求められても良い。
Ｃ２＝Ｃ１−ｍｉｎＫ＋ΔＣ  ・・・（２）
Ｍ２＝Ｍ１−ｍｉｎＫ＋ΔＭ  ・・・（３）
Ｙ２＝Ｙ１−ｍｉｎＫ＋ΔＹ  ・・・（４）
Ｋ２＝Ｋ                  ・・・（５）
【００４５】
図２に示すように、ＧＣＲテーブル１４３に格納された黒成分値Ｋは、グレー成分値ｍｉｎＫが大きいほど増大する。また、ＧＣＲテーブル１４３に格納された補正値ΔＣ，ΔＭ，ΔＹも、グレー成分値ｍｉｎＫが大きいほど増大する。すなわち、補正値ΔＣ，ΔＭ，ΔＹを表す関数、ΔＣ＝ｆｃ（ｍｉｎＫ），ΔＭ＝ｆｍ（ｍｉｎＫ），ΔＹ＝ｆｙ（ｍｉｎＫ）の傾きが、常に０以上となるように、補正値ΔＣ，ΔＭ，ΔＹが定められている。換言すれば、グレー成分値ｍｉｎＫが大となるほど、補正の結果として得られるＣ２，Ｍ２，Ｙ２が大となるように、ΔＣ，ΔＭ，ΔＹが予め定められているということができる。
【００４６】
このようにして色データＣ２Ｍ２Ｙ２Ｋ２が求められると、この色データＣ２Ｍ２Ｙ２Ｋ２のうち、黒成分値Ｋ２は、図３を参照して後述する調整パラメータａ（特許請求の範囲に記載の制限値の一例）により制限される。一方、有彩色成分値Ｃ２，Ｍ２，Ｙ２は、図３を参照して後述するインク総量ｂ（特許請求の範囲に記載のインク量制限値の一例）に従って調整される。
【００４７】
図３は用紙種類テーブル１４４の一例を模式的に示す図である。図３に示すように、用紙種類テーブル１４４は、調整パラメータａと、インク総量ｂとを記録用紙の種類に対応付けて格納するテーブルである。
【００４８】
図３に示す用紙種類テーブル１４４に例示する記録用紙の種類のうち、「専用紙」は、高画質な画像を得るために専用の処理が施された用紙であって、インクの定着性が最も良く、また、吸収可能なインク総量も前記処理が施されていない用紙（以下、普通紙）と比べて大きいのである。一方、用紙１，用紙２，用紙３はいずれも普通紙であって、製造工程や製造メーカの違いにより、インクの定着性が互いに異なると共に、吸収可能なインク総量も互いに異なる。
【００４９】
この用紙種類テーブル１４４は、プリンタドライバ１４１のインストール時にＨＤＤ１４に作成される。このとき用紙種類テーブル１４４には、プリンタベンダーが予め想定した、複数種類の記録用紙の種類と、それに対応する調整パラメータａおよびインク総量ｂとが格納されるものとして説明する。しかしながら、この用紙種類テーブル１４４に、ユーザが、適宜、新たな記録用紙種類とそれに対応する調整パラメータａおよびインク総量ｂを追加することができるように構成されても良い。
【００５０】
まず、調整パラメータａについて説明する。調整パラメータａは、色データＣ２Ｍ２Ｙ２Ｋ２に含まれる黒成分値Ｋ２を、記録用紙の種類に応じて制限するためのパラメータである。具体的には、ユーザにより選択された記録用紙に対応する調整パラメータａが用紙種類テーブル１４４から読み出され、黒成分値Ｋ２に乗算されることにより、黒成分値Ｋ２が制限される。下記（６）式に、調整パラメータａを用いた演算処理の一例を示す。
Ｋ２＝ａ＊Ｋ２    ・・・（６）
この調整パラメータａは、記録用紙における黒インクの定着性が高いほど、高い値となるように定められている。
【００５１】
ここで「インクの定着性」とは、例えば、印刷後、測定対象の印刷面に、測定用の転写紙を置き、所定の圧力で、印刷面と転写紙とを擦り、印刷面の上に置いた転写紙へのインクの転写（明度）を測定することにより測ることができる。インクの定着性が低い記録用紙の場合、その印刷面から転写紙へのインク転写量は多いから、その明度が低くなる。すなわち、定着性として低い値が得られる。一方、インクの定着性が高い記録用紙の場合、その印刷面から転写紙へのインク転写量が少ないので、その明度が高くなる。すなわち、定着性として高い値が得られる。
【００５２】
調整パラメータａとしては、Ｋインクの定着性が高い記録用紙ほど、高い値が対応付けられる。例えば、専用紙は、インクの定着性が高いので、調整パラメータａとして、例えば「１」が記憶されている。すなわち、Ｋインクの使用濃度は制限されず、記録用紙の特性を生かし、高画質の画像を形成することができる。
【００５３】
一方、インクの定着性が低い記録用紙ほど、調整パラメータａとしては小さい値が対応付けられる。例えば、用紙１は、インクの定着性が低いので、調整パラメータａとして、例えば「０」が記憶されている。このようにＫインクの定着性が低い記録用紙については、Ｋインクの濃度が大きく制限されることとなる。このようにすれば、記録用紙からのＫインクの剥離が抑制され、記録用紙から剥離したＫインクによって、他の部材や記録用紙が汚されることを抑制できる。
【００５４】
次に、インク総量ｂについて説明する。インク総量ｂは、記録用紙が吸収することができるインク量と相関関係にある値である。
【００５５】
図３に示すように、例えば、専用紙のように、インクの吸収性が高い記録用紙については、インク総量ｂとして予め高い値が対応付けられている。一方、例えば、用紙２のように、インクの吸収性が悪い記録用紙については、インク総量ｂとして低い値が対応付けられている。本実施形態では、記録用紙の吸収性に応じて有彩色成分値Ｃ２，Ｍ２，Ｙ２を調整することにより、インク溢れを抑制することとしているが、詳細は、図５を参照して後述する。
【００５６】
なお、記録用紙の種類が特定されなかった場合は、用紙種類テーブル１４４において、「その他」に対応付けられた調整パラメータａおよびインク総量ｂが用いられる。
【００５７】
図４は、上述したＰＣ１０で実行されるページ印刷処理（Ｓ１）を示すフローチャートである。このページ印刷処理（Ｓ１）は、ＰＣ１０において、印刷対象のデータ（以下、印刷対象データという）が指定され、ユーザによって印刷指示が出されると実行される処理であり、入力値ＲＧＢを、出力値ＣＭＹＫに変換し、画像形成装置４０へ出力する処理である。なお、このページ印刷処理（Ｓ１）は、印刷対象のデータに含まれる各ページについて実行されるが、ここでは説明を簡単にするために、１ページ分のデータが、印刷対象データとして指定されたものとして説明する。
【００５８】
ページ印刷処理（Ｓ１）では、まず、印刷サイズと用紙種類の情報を取得する（Ｓ２）。印刷サイズの情報は、印刷対象ファイルのサイズを示す情報である。また、用紙種類の情報は印刷指示時にユーザにより入力される情報である。
【００５９】
次に、印刷対象データから１ピクセル分のピクセルデータを、入力値ＲＧＢとして取得し（Ｓ４）、この入力値ＲＧＢを出力値ＣＭＹＫへ変換する色変換処理（Ｓ６）を実行する。色変換処理（Ｓ６）の詳細は、図５を参照して説明する。
【００６０】
そして、色変換処理（Ｓ６）により得られた出力値ＣＭＹＫについてハーフトーン処理を実行し（Ｓ８）、全ピクセルを処理したか否かを判断する（Ｓ１０）。Ｓ１０の判断が否定される場合（Ｓ１０：Ｎｏ）、Ｓ４に戻り、次のピクセルデータを取得し、処理を繰り返す。
【００６１】
このようにして処理を繰り返すうちに、全ピクセルの処理を終了すると（Ｓ１０：Ｙｅｓ）、次に、得られた全ピクセル分の出力値ＣＭＹＫを印刷データに変換し（Ｓ１２）、画像形成装置４０へ転送し（Ｓ１４）、処理を終了する。印刷データを受信した画像形成装置４０は、印刷データに基づき、ＣＭＹＫのインクを記録用紙に吐出し、画像を形成する。
【００６２】
図５は、色変換処理（Ｓ６）を示すフローチャートである。この色変換処理（Ｓ６）は、入力値ＲＧＢを出力値ＣＭＹＫへ変換する処理である。
【００６３】
色変換処理（Ｓ６）では、まず、ＬＵＴを用いた色変換処理（Ｓ６２）を実行する。この処理では、ルックアップテーブル１４２（図１参照）に記憶された関係に従って、入力値ＲＧＢを一次変換データＣ１Ｍ１Ｙ１に変換し、出力する。
【００６４】
次に、グレー成分決定処理（Ｓ６４）を実行する。この処理は、一次変換データＣ１Ｍ１Ｙ１から、入力値ＲＧＢのグレー成分値ｍｉｎＫを決定し、出力する処理である。
【００６５】
次に、Ｓ６２の処理で得られた一次変換データＣ１Ｍ１Ｙ１を、グレー成分値ｍｉｎＫに対応する補正値ΔＣ，ΔＭ，ΔＹで補正すると共に（上記（２）〜（５）式参照）、グレー成分値ｍｉｎＫに対応する黒成分値Ｋを用いて、入力値ＲＧＢに対応する色データＣ２Ｍ２Ｙ２Ｋ２を決定する色成分決定処理（Ｓ６５）を実行する。
【００６６】
次に、黒成分値制限処理（Ｓ６６）により、色データＣ２Ｍ２Ｙ２Ｋ２に含まれる黒成分値Ｋ２を、画像形成対象の記録用紙の種類に応じて定まる調整パラメータａにより制限する。このようにすれば、画像形成装置４０において、記録用紙に吐出されるＫインクの濃度が、記録用紙の種類に応じた適切な濃度に制限され、記録用紙からのＫインクの剥離が抑制される。その結果、記録用紙から剥離したＫインクによって、他の部材や記録用紙が汚されることを抑制できる。
【００６７】
なお、上述したように、Ｓ６５の処理では、図２を参照して説明したＧＣＲテーブル１４３に従って、色データＣ２Ｍ２Ｙ２Ｋ２が決定されるので、グレー成分値ｍｉｎＫが大となるほど、色データＣ２Ｍ２Ｙ２Ｋ２に含まれる有彩色成分Ｃ２Ｍ２Ｙ２が大となるように値が決定されることとなる。よって、グレー成分値ｍｉｎＫが高い色、すなわち暗い色の入力値に対して決定される有彩色成分値は、明るい色の入力値に対応して決定される有彩色成分値よりも高い値となる。その結果、決定手段により決定される無彩色成分値を制限した場合であっても、グレー成分が高い暗い色が、グレー成分が低い明るい色よりも色合いが薄くなるという色合いの逆転現象が生じ難い。
【００６８】
次に、Ｓ６５の処理で決定された有彩色成分値Ｃ２Ｍ２Ｙ２、およびＳ６６の処理により制限された黒色成値Ｋ２を、各色成分値に対応して定まるインク調整値に基づいて調整する、インク量調整処理を実行する（Ｓ６７）。このインク量調整は、吐出されたインクの広がり（ドットゲイン）を調整するために行われる処理である。
【００６９】
なお、有彩色成分値Ｃ２，Ｍ２，Ｙ２を、Ｓ６７の処理で調整して得られる値を、有彩色成分値に対応するインク濃度Ｃ’，Ｍ’，Ｙ’と称し、黒成分値Ｋ２を、Ｓ６７の処理で調整して得られる値を、黒成分値に対応するインク濃度Ｋ’と称することとすると、インク濃度Ｃ’，Ｍ’，Ｙ’，Ｋ’は、所定のテーブル（図示していない単調増加関数）を参照して、例えば、下記（７）から（１０）式のように算出することができる。
Ｃ’＝ｇｃ（Ｃ２）      ・・・（７）
Ｍ’＝ｇｍ（Ｍ２）      ・・・（８）
Ｙ’＝ｇｙ（Ｙ２）      ・・・（９）
Ｋ’＝ｇｋ（Ｋ２）      ・・・（１０）
次に、インク濃度Ｃ’，Ｍ’，Ｙ’，Ｋ’の合計ＳＵＭ（ＳＵＭ＝Ｃ’＋Ｍ’＋Ｙ’＋Ｋ’）が、画像形成対象の記録用紙の種類に応じたインク総量ｂ以下となるように、有彩色成分のインク濃度Ｃ’，Ｍ’，Ｙ’を低減させるインク総量演算処理を実行する（Ｓ６８）。
【００７０】
このインク総量演算処理（Ｓ６８）では、まず、ＳＵＭがインク総量ｂ以下か否かを判断する。この判断が否定される場合は、有彩色成分のインク濃度Ｃ’，Ｍ’，Ｙ’を低減させることなく、色変換処理（Ｓ６）を終了する。この場合、インク濃度Ｃ’，Ｍ’，Ｙ’，Ｋ’が、それぞれ、出力値のＣＭＹＫとして決定される。
【００７１】
一方、ＳＵＭがインク総量ｂより大であると判断された場合、下記（１１）〜（１４）式に従って、インク濃度Ｃ’，Ｍ’，Ｙ’を低減させ、出力値のＣＭＹＫとして決定する。
Ｃ＝Ｃ’*(ｂ−Ｋ’)／（ＳＵＭ−Ｋ’）    ・・・（１１）
Ｍ＝Ｍ’*(ｂ−Ｋ’)／（ＳＵＭ−Ｋ’）    ・・・（１２）
Ｙ＝Ｙ’*(ｂ−Ｋ’)／（ＳＵＭ−Ｋ’）    ・・・（１３）
Ｋ＝Ｋ’                              ・・・（１４）
このようにすれば、出力値ＣＭＹＫに含まれる各色成分値ＣＭＹＫを合計した値は、インク総量ｂ以下となる。よって、記録用紙が吸収可能なインク量よりもインク総量が大となることに起因するインク溢れが抑制されるので、コックリングやフェザリングの発生が抑制される。また、Ｋのインク濃度は保持されるため、暗い色の濃さを保つことができる。また、上述の演算式によれば、ＣＭＹの各色成分値の大小関係が保たれるので、簡単な演算で色味を正確に保ったまま、ＣＭＹの各色成分値を低減させることができる。
【００７２】
また、有彩色成分値Ｃ２Ｍ２Ｙ２および黒成分値Ｋ２が、インク調整値に基づいて調整された後、各色のインク濃度Ｃ’，Ｍ’，Ｙ’，Ｋ’の合計がインク総量ｂ以下となるように、有彩色成分のインク濃度Ｃ’，Ｍ’，Ｙ’が低減させられるので、インク総量ｂの限界まで、インク濃度を高く保つことができる。
【００７３】
本実施形態の色変換処理（Ｓ６）によれば、ＧＣＲテーブル１４３を、記録用紙の種類毎に準備しておく必要はないので、ＧＣＲテーブルを記録用紙の種類毎に記憶しておく場合に比較して、テーブルの作成工程やメモリ使用量を節約することができる。
【００７４】
次に、第２実施形態について説明する。上述した第１実施形態は、ＧＣＲテーブル１４３を用いて有彩色成分値Ｃ２Ｍ２Ｙ２および黒成分値Ｋ２を決定するものであった。これに対し、第２実施形態は、ＧＣＲテーブル１４３を用いずに、有彩色成分値Ｃ２Ｍ２Ｙ２および黒成分値Ｋ２を決定するように構成されている。
【００７５】
図６（ａ）は、第２実施形態のＰＣ１０のＨＤＤ１４を模式的に示すブロック図である。第２実施形態のＰＣ１０と第１実施形態のＰＣ１０とは、ＨＤＤ１４の構成のみが異なり、その他の構成は同一であるので、ＨＤＤ１４以外の構成については、図示及び説明を省略する。
【００７６】
図６（ａ）に示すように、第２実施形態のＰＣ１０のＨＤＤ１４には、用紙種類テーブル１４４、プリンタドライバ１４５、ルックアップテーブル１４６が格納されている。用紙種類テーブル１４４は、図３を参照して説明した第１実施形態の用紙種類テーブル１４４と同一のテーブルであるため、図示及び説明を省略する。
【００７７】
プリンタドライバ１４５は、図７を参照して後述する色変換処理（Ｓ７０）を含む、ページ印刷処理を実行するプログラムである。
【００７８】
ルックアップテーブル１４６は、第２実施形態の色変換処理（Ｓ７０）において、入力値ＲＧＢを、色データＣ２Ｍ２Ｙ２Ｋ２に変換するために用いられるテーブルである。なお、上述した第１実施形態では、ＧＣＲテーブル１４４を用いた補正後のデータを、色データＣ２Ｍ２Ｙ２Ｋ２と称していたが、本第２実施形態では、ＧＣＲテーブル１４４を用いないため、ルックアップテーブル１４６を用いて入力値ＲＧＢを変換することにより得られたデータを、色データＣ２Ｍ２Ｙ２Ｋ２と称することとする。以下、図６（ｂ），（ｃ）を参照して、ルックアップテーブル１４６について説明する。
【００７９】
図６（ｂ）は、赤（Ｒ）、緑（Ｇ）、青（Ｂ）、および黒（Ｋ）、白（Ｗ）の５点を頂点とするＲＧＢ立方体を示す図である。図６（ｂ）に示す例では、ＲＧＢ色空間が２７個の小立方体に分割されている。ここで、第２実施形態のルックアップテーブル１４６には、小立方体の各頂点に対応するＲＧＢ値の各々について、対応するＣＭＹＫ値が対応付けられている。この対応関係を利用して、入力値ＲＧＢを、ＣＭＹＫの色成分値からなる色データＣ２Ｍ２Ｙ２Ｋ２に変換する。
【００８０】
特に、本第２実施形態のＰＣ１０で用いられるルックアップテーブル１４６には、入力値ＲＧＢのグレー成分が大となるほど有彩色成分値ＣＭＹが大となるように、小立方体の拡張点に対し、ＣＭＹＫ値が対応付けられている。すなわち、図６（ａ）に示す立方体において、黒（Ｋ）と白（Ｗ）を結ぶ直線をＩ軸とする。そして、小立方体の各頂点からＩ軸に対して垂線を下ろす場合、そのＩ軸上における垂線の足が、白（Ｗ）へ近づくほど、対応付けられた有彩色成分値ＣＭＹが大となる。
【００８１】
図６（ｃ）は、ルックアップテーブル１４６に格納される対応関係を示すグラフである。図６（ｃ）に示すグラフは、立方体から抽出された７つの頂点Ｐ１〜Ｐ７を横軸に取ると共に、各頂点Ｐ１〜Ｐ７に対応付けられたＣＭＹＫの各色成分値を縦軸に取って示すグラフである。図６（ｃ）に示すように、ルックアップテーブル１４６は、入力値ＲＧＢのグレー成分が大となるほど、すなわち、Ｐ７からＰ１に近づくほど、有彩色成分値ＣＭＹが大となるように予め定められた関係を記憶している。
【００８２】
ここで、「入力値ＲＧＢのグレー成分が大となるほど有彩色成分値ＣＭＹが大となるように予め定められた関係」とは、入力値ＲＧＢのグレー成分が大となるほど、色変換により得られる色データＣ２Ｍ２Ｙ２Ｋ２のうち、有彩色成分Ｃ２，Ｍ２，Ｙ２の合計が大となるように、入力値ＲＧＢと有彩色成分値ＣＭＹとの対応関係が定められていることを意味している。
【００８３】
すなわち、入力値ＲＧＢのグレー成分が大となるほど、シアン成分値Ｃ、マゼンタ成分値Ｍと、イエロー成分値Ｙとの各々が大となる関係に限定されない。ルックアップテーブル１４６に格納される対応関係は、例えば、図６（ｃ）に示すように、マゼンタ成分値Ｍの軌跡（図６（ｃ）において、二点鎖線で示す軌跡）が、傾き負となる部分を含んでいたとしても、他の色の成分値の増加量が、マゼンタ成分値Ｍの低下量を上回ることにより、結果として、色変換により得られる有彩色成分Ｃ２，Ｍ２，Ｙ２の合計が大と有彩色成分値ＣＭＹの合計が増加するものであれば良い。図６（ｃ）に示すように、Ｋインク量最大値付近における、有彩色成分の若干の低下を許容することにより、黒の色味が保持される。
【００８４】
さらに、ルックアップテーブル１４６に格納される対応関係は、図６（ｃ）に示す例に限られるものではなく、例えば、シアン成分値Ｃ、マゼンタ成分値Ｍ、イエロー成分値Ｙのそれぞれについて描かれる軌跡の傾きが、常に０以上となるように、ルックアップテーブル１４６が構成されていても良い。
【００８５】
図７は、第２実施形態のＰＣ１０において実行される色変換処理（Ｓ７０）を示すフローチャートである。なお、第２実施形態のＰＣ１０は、図４を参照して説明したページ印刷処理（Ｓ１）に含まれる色変換処理（Ｓ６）に替えて、図７に示す色変換処理（Ｓ７０）を実行する。
【００８６】
図７に示すように、色変換処理（Ｓ７０）では、まず、図６を参照して説明したルックアップテーブル１４６に基づいて、入力値ＲＧＢに相当する色データＣ２Ｍ２Ｙ２Ｋ２を決定する（Ｓ７２）。
【００８７】
次に、Ｓ７２の処理で決定された色データＣ２Ｍ２Ｙ２Ｋ２のうち、黒成分値Ｋ２を、画像形成対象の記録用紙の種類に応じて定まる調整パラメータａにより制限する黒成分値制限処理を実行する（Ｓ７４）。これにより、第１実施形態の同様に、記録用紙に吐出されるＫインクの濃度が、記録用紙の種類に応じた適切な濃度に制限される。
【００８８】
また、Ｓ７２の処理では、図６を参照して説明したルックアップテーブル１４６に従って、色データＣ２Ｍ２Ｙ２Ｋ２が決定されるので、入力値ＲＧＢのグレー成分が大となるほど、色データＣ２Ｍ２Ｙ２Ｋ２に含まれる有彩色成分Ｃ２Ｍ２Ｙ２が大となるように値が決定されることとなる。よって、第１実施形態と同様に、グレー成分が高い暗い色が、グレー成分が低い明るい色よりも色合いが薄くなるという色合いの逆転現象が生じ難い。
【００８９】
次に、Ｓ７２の処理で決定された有彩色成分Ｃ２Ｍ２Ｙ２、およびＳ７４の処理により制限された黒成分値Ｋ２を、各色成分値に対応して定まるインク調整値に基づいて調整する、インク量調整処理を実行する（Ｓ７６）。
【００９０】
次に、インク量調節処理後の有彩色成分値に対応するインク濃度Ｃ’，Ｍ’，Ｙ’、およびインク量調節処理後の黒成分値に対応するインク濃度Ｋ’の合計ＳＵＭ（ＳＵＭ＝Ｃ’＋Ｍ’＋Ｙ’＋Ｋ’）が、画像形成対象の記録用紙の種類に応じたインク総量ｂ以下となるように、有彩色成分のインク濃度Ｃ’，Ｍ’，Ｙ’を低減させ、出力値を決定するインク総量演算処理を実行する（Ｓ７８）。なお、インク量調整処理（Ｓ７６）は、図５を参照して説明したインク量調整処理（Ｓ６７）と同一の処理であり、インク総量演算処理（Ｓ７８）は、図５を参照して説明した総量演算処理（Ｓ６８）と同一の処理であるため、その詳細な説明は省略する。
【００９１】
第２実施形態の色変換処理（Ｓ７０）によれば、第１実施形態の色変換処理（Ｓ６）の奏する効果に加え、ルックアップテーブル１４６を、記録用紙の種類毎に準備しておく必要はないので、ルックアップテーブルを記録用紙の種類毎に記憶しておく場合に比較して、テーブルの作成工程やメモリ使用量を節約することができる。
【００９２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９３】
例えば、第１実施形態で説明したＧＣＲテーブル１４３（図２参照）に格納される補正値（ΔＣ，ΔＭ，ΔＹ）は、様々に変更可能である。
【００９４】
図８は、変形例のＧＣＲテーブルに格納される、グレー成分値ｍｉｎＫと補正値との対応関係を示すグラフである。変形例のＧＣＲテーブルにおいては、グレー成分値ｍｉｎＫが大となるにつれて、補正値（ΔＣ，ΔＭ，ΔＹ）が増大し、補正値（ΔＣ，ΔＭ，ΔＹ）が最大値に到達すると、グレー成分値ｍｉｎＫの増大に拘わらず、補正値（ΔＣ，ΔＭ，ΔＹ）が一定の値をとるように定められた値が格納される。その結果、グレー成分値ｍｉｎＫが所定値以上となると、補正の結果として得られる有彩色成分値Ｃ２Ｍ２Ｙ２の値は一定となる。このように構成されたＧＣＲテーブルを用いても、上述した第１実施形態と同様の効果が得られる。
【００９５】
すなわち、特許請求の範囲に記載の、「入力値のグレー成分が大となるほど、補正の結果として得られる有彩色成分値が大となるように定められた補正値」とは、例えば、図２に示したような補正値の軌跡を描くと、その傾きが常に正となる補正値に限定されるものではなく、例えば、図８に例示したように、横軸にグレー成分値ｍｉｎＫをとり縦軸に補正値をとった座標平面に、ＧＣＲテーブルに格納された補正値（ΔＣ，ΔＭ，ΔＹ）の軌跡を色毎に描くと、その軌跡の傾きが「０」となる部分を含むように定められた補正値であっても良い。
【００９６】
さらに、「補正の結果として得られる有彩色成分値が大となるように定められた補正値」とは、出力値が複数色の有彩色成分値を含む場合は、複数色の成分値がそれぞれ大となるように定められた補正値に限定されるものではなく、その複数色の有彩色成分値を合計した値が、グレー成分が大となるほど大となるように定められた補正値であっても良い。
【００９７】
また、第１実施形態の色変換処理（Ｓ６）では、ＧＣＲテーブル１４３（図２参照）に記憶された関係に従って補正を行っていたが、例えば、ＧＣＲテーブルに替えて、ＵＣＲ（Under  Color  Removal）テーブルが用いられる場合にも本発明は適用可能である。
【００９８】
また、上述した第１実施形態および第２実施形態では、ユーザにより入力された記録用紙の種類に対応する調整パラメータａ、およびインク総量ｂが決定されるものとして説明したが、例えば、記録用紙に付加されたＲＦＩＤ（Radio  Frequency  Identification）や、バーコードを読み取ることにより、記録用紙種類を特定し、その特定された記録用紙の種類に基づいて、調整パラメータａ、およびインク総量ｂが決定されるものであっても良い。
【００９９】
また、ユーザの主観的な感覚で記録用紙を分類させ、その分類を示す情報を、記録用紙の種類として、ユーザに入力させることとしても良い。例えば、記録用紙に対するインクの定着性およびインク吸収性の各々について、「良」、「中」、「悪」のいずれかをユーザに入力させ、その入力された種類に応じて予め記憶されていた調整パラメータａおよびインク総量ｂを用いることとしても良い。このようにすれば、ユーザの主観的な感覚に適合した適切な調整パラメータａおよびインク総量ｂが決定される。
【０１００】
また、上述した第１実施形態および第２実施形態のインク総量制限処理（Ｓ６８，Ｓ７８）では、ＣＭＹのバランスを保持したまま、各色成分値を低減させたが、これに替えて、各色に異なる割合で色成分値を低減させても良い。
【０１０１】
また、上述した第１実施形態および第２実施形態の色変換処理（Ｓ６，Ｓ７０）は、ＰＣ１０で実行されるものとして説明したが、画像形成装置４０で実行されることとしても良い。この場合、画像形成装置４０が、特許請求の範囲に記載の色変換装置に相当し、画像形成装置４０に記憶されたプログラムが、特許請求の範囲に記載の色変換プログラムに相当する。
【０１０２】
また、上述した第１実施形態および第２実施形態では、入力値ＲＧＢをＣＭＹＫの４色を含む出力値に変換する場合について説明したが、画像形成装置が、ライトシアン、ライトマゼンタ（有彩色のインクの例）、ライトブラック（無彩色のインクの例）など、５色以上を用いて画像を形成する場合であって、入力値が５色以上の色成分値に変換される場合においても、本発明は適用可能である。
【図面の簡単な説明】
【０１０３】
【図１】本発明の色変換装置の第１実施形態であるＰＣ１０と、ＰＣに接続された画像形成装置との電気的構成を模式的に示すブロック図である。
【図２】ＧＣＲテーブルに格納される、グレー成分値ｍｉｎＫと補正値との対応関係を示すグラフである。
【図３】用紙種類テーブルの一例を模式的に示す図である。
【図４】ＰＣで実行されるページ印刷処理を示すフローチャートである。
【図５】色変換処理を示すフローチャートである。
【図６】（ａ）は、第２実施形態のＰＣのＨＤＤを模式的に示すブロック図であり、（ｂ）は、赤（Ｒ）、緑（Ｇ）、青（Ｂ）、および黒（Ｋ）、白（Ｗ）の５点を頂点とするＲＧＢ立方体を示す図であり、（ｃ）は、ルックアップテーブルに格納される対応関係を示すグラフである。
【図７】第２実施形態のＰＣにおいて実行される色変換処理を示すフローチャートである。
【図８】変形例のＧＣＲテーブルに格納される、グレー成分値ｍｉｎＫと補正値との対応関係を示すグラフである。
【図９】従来のＧＣＲテーブルに格納される、グレー成分値ｍｉｎＫと補正値との対応関係の一例を示すグラフである。
【符号の説明】
【０１０４】
１０                    ＰＣ（色変換装置の一例）
１４                    ＨＤＤ（ルックアップテーブル記憶手段の一例）
１４１，１４５          プリンタドライバ（色変換プログラムの一例）
１４２                  ルックアップテーブル
１４３                  ＧＣＲテーブル（補正値記憶手段の一例）
１４６                  ルックアップテーブル
Ｓ６２                  色変換手段の一例
Ｓ６４                  グレー成分値決定手段の一例
Ｓ６５，Ｓ７２          決定手段の一例、決定工程の一例
Ｓ６６，Ｓ７４          制限手段の一例、制限工程の一例
Ｓ６７，Ｓ７６          調整手段の一例
Ｓ６８，Ｓ７８          出力値決定手段の一例、出力値決定工程の一例、インク量制限手段の一例
【図１】
0004888381.tif 000002
【図２】
0004888381.tif 000003
【図３】
0004888381.tif 000004
【図４】
0004888381.tif 000005
【図５】
0004888381.tif 000006
【図６】
0004888381.tif 000007
【図７】
0004888381.tif 000008
【図８】
0004888381.tif 000009
【図９】
0004888381.tif 000010